(57)【要約】【課題】荷物を締付けて確実に拘束することができ、荷物の荷崩れを防止でき、作業者一人でも荷物の拘束作業を効率よく簡単に行うことができ、ベルト本体を強く引っ張りやすくでき、簡単に製造できる拘束用ベルトを提供する。【解決手段】荷物ｍを拘束するための拘束用ベルト１０であって、ベルト本体１と、ベルト本体１の一部分に、重ね合わせて取り付けられた締付け部２０とから構成されている。締付け部２０が、伸長させると張力が発生する弾性体であり、ベルト本体１の一部分が弛まされて弛み部分３が形成されており、この弛み部分３に前記締付け部２０が取り付けられている。ベルト本体１には、その端部に端部掛着用索１１が取り付けられており、その中間部には荷物ｍに掛着される中間部掛着用索１２が取り付けられている。ベルト本体１の端部には、ベルト本体１から延びた状態でその長手方向に沿って引張用索１３が取り付けられている。【選択図】        図１
2004175389.tif 000002
【特許請求の範囲】
【請求項１】
荷物の集積体を拘束するための拘束用ベルトであって、
長手方向の一部分が弛まされて弛み部分が形成されたベルト本体と、
該ベルト本体の弛み部分に、重ね合わせて取り付けられた締付け部とからなり、該締付け部が、伸長させると張力が発生する弾性体を備える
ことを特徴とする拘束用ベルト。
【請求項２】
前記ベルト本体が、広幅ベルトである
ことを特徴とする請求項１記載の拘束用ベルト。
【請求項３】
前記弾性体が、複数の弾性を有する紐が網状に形成された保護網である
ことを特徴とする請求項１記載の拘束用ベルト。
【請求項４】
前記弾性体が、伸縮自在な帯状部材である
ことを特徴とする請求項１記載の拘束用ベルト。
【請求項５】
前記ベルト本体の端部に、荷物の集積体に掛着される端部掛着用索が取り付けられた
ことを特徴とする請求項１または２記載の拘束用ベルト。
【請求項６】
前記ベルト本体の中間部分に、荷物の集積体に掛着される中間部掛着用索が取り付けられた
ことを特徴とする請求項１または２記載の拘束用ベルト。
【請求項７】
前記ベルト本体の端部に、該ベルト本体から延びた状態でその長手方向に沿って、ベルト本体の幅より細い幅の引張用索が取り付けられた
ことを特徴とする請求項１または２記載の拘束用ベルト。
【発明の詳細な説明】
【０００１】
【発明の属する技術分野】
本発明は、拘束用ベルトに関する。
【０００２】
【従来の技術】
図４は従来の拘束用ベルト１１０  の表面図である。図５は従来の拘束用ベルト１１０  の使用状態説明図である。図４に示すように、従来の拘束用ベルト１１０  には、左右一対のベルト本体１０１，１０２  の間に、弾性力のある細長いゴムバンド１２１，１２１  が、例えば２本平行に取り付けられたものがある。ベルト本体１０１，１０２  の各外側端部には、各端部同士を固締するための固締具として、掛合自在な一対の面状テープ４，５がそれぞれ取り付けられている。
従来の拘束用ベルト１１０  を使用して荷物の集積体を拘束する場合には、図５に示すように、まず複数の荷物ｍを積み重ねておき、荷物ｍの集積体の周囲に拘束用ベルト１１０  を巻き掛け、その両端部を引張って締め付ける。すると、ゴムバンド１２１  は伸長することにより張力が発生するので、荷物ｍの集積体を固締することができる。最後に、面状テープ４，５同士を貼着することにより、拘束用ベルト１１０  の左右端部同士を固締して、複数の荷物ｍの集積体を拘束することができる。
【０００３】
出願人が知っている上記先行技術は、文献公知発明でないので先行技術文献は記載していない。
【０００４】
【発明が解決しようとする課題】
しかるに、従来の拘束用ベルト１１０  には、以下の（ｉ）〜（ｉｖ）に示す問題がある。
（ｉ）ゴムバンド１２１  の部分は、ベルト本体１０１，１０２  に比べて幅が狭いから、その部分に当っている荷物ｍが倒れやすくなったり、荷崩れする恐れがある。しかも、ゴムバンド１２１  の部分においては、ベルト本体１０１，１０２  の部分に比べて、接触面積が少ないので荷物ｍを十分に保護することができず、荷物ｍの角部などを傷付けることもある。
（ｉｉ）従来の拘束用ベルト１１０  を大きな荷物ｍや多数の荷物ｍの集積体の周囲に巻き掛ける場合には、ベルト本体１の一端部を作業者が固定しておき、もう一人の作業者がベルト本体１を荷物ｍの集積体の周囲にズレないように巻き掛けてから、ベルト本体１の両端部同士を面状テープ４，５などの固締具で固締している。一人でベルト本体１を荷物ｍの集積体に巻き掛けると、ベルト本体１が荷物ｍの所定位置からズレてしまい、ベルト本体１で荷物ｍの集積体を固締できないからである。このため、少なくとも二人の作業者で拘束作業を行わなければならない。
（ｉｉｉ）ベルト本体１は、幅が広ければ荷物ｍを確実に固定するにはよいが、ベルト本体１で荷物ｍを締め付けるときには、ベルト本体１の幅が広いと手で握りづらく、ベルト本体１を強く引っ張って締め付けることができない。
（ｉｖ）従来の拘束用ベルト１１０  を製造するには、１本のベルト本体を途中で切断した後に、２本のベルト本体１０１，１０２  同士の間にゴムバンド１２１，１２１  を取り付けねばならないので、拘束用ベルト１１０  を製造するのに手間がかかる。
【０００５】
本発明はかかる事情に鑑み、荷物を締付けて確実に拘束することができ、荷物の荷崩れを防止でき、作業者一人でも荷物の拘束作業を効率よく簡単に行うことができ、ベルト本体を強く引っ張りやすくでき、簡単に製造できる拘束用ベルトを提供することを目的とする。
【０００６】
【課題を解決するための手段】
請求項１の拘束用ベルトは、荷物の集積体を拘束するための拘束用ベルトであって、長手方向の一部分が弛まされて弛み部分が形成されたベルト本体と、該ベルト本体の弛み部分に、重ね合わせて取り付けられた締付け部とからなり、該締付け部が、伸長させると張力が発生する弾性体を備えることを特徴とする。
請求項２の拘束用ベルトは、請求項１記載の発明において、前記ベルト本体が、広幅ベルトであることを特徴とする。
請求項３の拘束用ベルトは、請求項１記載の発明において、前記弾性体が、複数の弾性を有する紐が網状に形成された保護網であることを特徴とする。
請求項４の拘束用ベルトは、請求項１記載の発明において、前記弾性体が、伸縮自在な帯状部材であることを特徴とする。
請求項５の拘束用ベルトは、請求項１または２記載の発明において、前記ベルト本体の端部に、荷物の集積体に掛着される端部掛着用索が取り付けられたことを特徴とする。
請求項６の拘束用ベルトは、請求項１または２記載の発明において、前記ベルト本体の中間部分に、荷物の集積体に掛着される中間部掛着用索が取り付けられたことを特徴とする。
請求項７の拘束用ベルトは、請求項１または２記載の発明において、前記ベルト本体の端部に、該ベルト本体から延びた状態でその長手方向に沿って、ベルト本体の幅より細い幅の引張用索が取り付けられたことを特徴とする。
【０００７】
【発明の実施の形態】
つぎに、本発明の実施形態を図面に基づき説明する。
図１は本実施形態の拘束用ベルト１０の表面図である。同図に示すように、拘束用ベルト１０は、荷物ｍの集積体の周囲に巻き掛け、締め付けて拘束し荷物ｍの集積体の荷崩れを防止するためのものである。本実施形態の拘束用ベルト１０は、ベルト本体１および締付け部２０を基本構成要素とし、端部掛着用索１１、中間部掛着用索１２および引張用索１３は任意構成要素であり、その使用は任意であるが用いると好ましいものである。
また、拘束用ベルト１０は、端部掛着用索１１、中間部掛着用索１２、引張用索１３の全てが取り付けられたものだけでなく、３種類の索１１，１２，１３のうち、１種類又は任意の２種類を取付けたものであってもよい。
【０００８】
まず、ベルト本体１を説明する。
ベルト本体１は、荷物ｍの集積体の周囲に巻き掛け、締め付けて拘束するためのベルトである。ベルト本体１は、広幅のものが好ましく、広幅とは、積み重ねられた荷物ｍの集積体における上段の荷物ｍと下段の荷物ｍに共に巻き掛けられる幅を意味する。したがって、例えば幅は２００  〜７００  ｍｍが好適であり、５００  〜７００  ｍｍ程度が最適である。
なお、拘束すべき荷物ｍの集積体によっては、ベルト本体１の幅は狭くてもよい。ベルト本体１の長さや材質については、適宜選択すればよく特に限定はないが、長さが３〜７ｍ程度が使いやすく、材質はポリエステルやナイロン、ポリプロピレン等の合成樹脂製（例えば合成繊維を織ったもの）が、強度が高く耐天候性が高いので好ましい。
【０００９】
さらに、ベルト本体１には、固締具として面状テープ４，５が取り付けられている。すなわち、ベルト本体１の一端における表側には、面状テープ４が取り付けられている。ベルト本体１の他端における裏側には、前記面状テープ４に掛合自在な面状テープ５が取り付けられている。このため、面状テープ４，５同士を重ね合せることにより、ベルト本体１の端部同士を固定することができる。
なお、面状テープ４，５は、ベルト本体１の両端において上下一対で取り付けられているが、必ずしも上下一対で取り付けなくても、幅方向の中間部のみに取り付けられたものであってもよい。
また、固締具としては、面状テープ４，５だけでなく、バックルや結び紐等、種々のものを採択しうる。
【００１０】
前記ベルト本体１には、その長手方向の一部分が弛まされて弛み部分３が形成されている。弛み部分３は、後述する締付け部２０が十分伸長したときにも張力が発揮できるだけの長さを有しており、例えば５０〜４００  ｍｍ程度が好適である。
なお、弛み部分３をベルト本体１に形成させる位置は、ベルト本体１の端部でも中間部でもよく、任意である。
さらになお、ベルト本体１には単独の弛み部分３を形成させるだけでなく、複数の弛み部分３を取付けてもよい。
【００１１】
つぎに、締付け部２０を説明する。
前記ベルト本体１の弛み部分３に、締付け部２０が重ね合わせて取り付けられている。
この締付け部２０は、保護網２１の両端部が、固定用帯２３、２３とともベルト本体１に縫い付けられたものである。固定用帯２３は、保護網２１をベルト本体１に取り付けることができればよく、種々の帯を使用しうる。
保護網２１は、複数の弾性のある紐２２が網状に形成されたものである。紐２２は、例えばゴムが保護布で覆われたものであり、伸長させると張力が発生する弾性体が用いられる。
なお、紐２２の主素材は、ゴムだけでなく、ウレタンなど、伸長させると張力が発生する弾性力があるものであればよく、種々のものを使用することができる。
【００１２】
締付け部２０は、伸長させると張力が発生するから、ベルト本体１をその長手方向に伸ばすと、弛み部分３も一緒に伸ばされて、締付け部２０は伸長する。このため、締付け部２０に張力が発生し、この張力によって荷物ｍの集積体を頑強に拘束することができる。しかも、荷物ｍの表面側には、伸ばされた弛み部分３が当っており、荷物ｍは接触面積の広い弛み部分３のベルトが当るので、荷物ｍを傷めないように保護することができる。
【００１３】
また、前記締付け部２０が、複数の紐２２が網状に形成された保護網２１であるから、保護網２１が伸長するときに発生する張力を複数の紐２２に分散させることができ、荷物ｍを均一な力で締付けて拘束することができる。このため、紐２２が荷物ｍの角部に食い込んで荷物が破損するのを防止することができる。
【００１４】
つぎに、端部掛着用索１１を説明する。
前記ベルト本体１の端部には、ベルト本体１の長さ方向に対し交差するように、端部掛着用索１１がその基端部を取り付けられている。端部掛着用索１１は、手で握って引っ張りやすい幅のものが用いられる。
ベルト本体１の端部に端部掛着用索１１が取り付けられているので、端部掛着用索１１を荷物の任意の場所、例えば荷物ｍの集積体をくくっているバンドに引掛けたりくくりつけたり、あるいは荷物ｍ，ｍ同士の間の隙間に差し込んだりして位置を仮固定することができる。
なお、端部掛着用索１１の先端は、先端部を二重に折り返して縫製してあるので、厚さが厚くなっており、引掛けたり差し込んだりしたとき、簡単には抜けないので好都合である。
【００１５】
つぎに、中間部掛着用索１２を説明する。
前記ベルト本体１の中間部分には、ベルト本体１の長さ方向に対し交差するように、１本あるいは複数の中間部掛着用索１２がその基端部を取り付けられている。
中間部掛着用索１２を荷物の任意の場所、例えば荷物ｍをくくっているバンドに引掛けたりくくりつけたり、あるいは荷物ｍ，ｍ同士の間の隙間に差し込んだりしてベルト本体１の中間部分の位置を仮固定することができる。
なお、中間部掛着用索１２の先端は、先端部を二重に折り返して縫製してあるので、厚さが厚くなっており、引掛けたり差し込んだりしたとき、簡単には抜けないので好都合である。
【００１６】
つぎに、引張用索１３を説明する。
前記ベルト本体１の両端部には、ベルト本体１から延びた状態でその長手方向に沿って、引張用索１３が取り付けられている。この引張用索１３は、手で引張りやすい幅のものが用いられる。
このため、ベルト本体１を固締具２で締め付けるときに、引張用索１３を握ってベルト本体１を引っ張りやすいから、荷物ｍの集積体を強く締めつけ固締具２が緩まないように固締することができる。
【００１７】
また、ベルト本体１の端部に引張用索１３を取り付けるだけでなく、中間部に引張用索１４を取り付けてもよい。この場合、引張用索１４を手で握って引張ることにより、ベルト本体１の中間部を強く締め付けることができるので好適である。
なお、引張用索１３はベルト本体１の両方の端部だけでなく、一方の端部のみに取り付けてもよい。
【００１８】
本実施形態の拘束用ベルト１０によれば、以下の（１）〜（５）の作用効果を奏する。
（１）拘束用ベルト１０で荷物を拘束すると、ベルト本体１によって荷物ｍの集積体を保護することができる。しかも、締付け部２０によって、荷物ｍの集積体を締付けて頑強に拘束することができるので、荷崩れを防止することができる。さらに、ベルト本体１をその長手方向に伸ばすと、ベルト本体１の弛み部分３が伸ばされるので、締付け部２０は伸長する。このため、締付け部２０に張力が発生し、この張力によって荷物ｍを頑強に拘束することができる。
（２）締付け部２０が、複数の紐２２が網状に形成された保護網２１であるから、保護網２１が伸長するときに発生する張力を複数の紐２２に分散させることができ、荷物ｍを均一な力で締付けて拘束することができる。このため、締付け部２０が荷物の角部に食い込んで荷物ｍが破損するのを防止することができる。
【００１９】
（３）ベルト本体１の端部に端部掛着用索１１が取り付けられているので、端部掛着用索１１を荷物ｍの任意の場所、例えば荷物ｍの集積体をくくっている帯状部材に引掛けたりくくりつけたり、あるいは荷物ｍ，ｍ同士の間の隙間に差し込んだりして、ベルト本体１を荷物ｍの周囲に巻き掛けることができる。このため、作業者一人でもベルト本体１を荷物ｍの周囲にベルト本体１をズレないように確実に位置決めして巻き掛けることができ、作業者一人荷物の拘束作業を効率よく簡単に行うことができる。
（４）中間部固定用索１２を荷物ｍの任意の場所、例えば荷物ｍをくくっている帯状部材に引掛けたりくくりつけたり、あるいは荷物ｍ，ｍ同士の間の隙間に差し込んだりしてベルト本体１の中間部分の位置を仮固定することができる。このため、作業者一人でもベルト本体１を荷物の周囲に巻き掛けることができ、作業者一人で荷物の拘束作業を効率よく簡単に行うことができる。
（５）ベルト本体１を締め付けるときに、引張用索１３を握ってベルト本体１を引っ張りやすいから、荷物ｍを強く固締することができる。
【００２０】
上記のごとく、本実施形態の拘束用ベルト１０によれば、荷物ｍの集積体を締付けて確実に拘束することができ、荷物ｍの荷崩れを防止でき、作業者一人でも荷物ｍの拘束作業を効率よく簡単に行うことができ、ベルト本体１を強く引っ張りやすくでき、簡単に製造できるという効果を奏する。
【００２１】
つぎに、第２本実施形態の拘束用ベルト１０Ｂ  を説明する。
図３は第２本実施形態の拘束用ベルト１０Ｂ  の表面図である。同図に示すように、第２本実施形態の拘束用ベルト１０Ｂ  は、ベルト本体１の弛み部分３に、締付け部３０が重ね合わせて取り付けられたものである。つまり、ベルト本体１の弛み部分３に取り付ける締付け部を、前記締付け部２０の代わりに、締付け部３０を使用したものである。
【００２２】
この締付け部３０は、２本の細長い帯状部材３１，３１の両端部が、固定用帯３３，３３とともにベルト本体１の弛み部分３に縫い付けられたものである。固定用帯３３は、帯状部材３１をベルト本体１に取り付けることができればよく、種々の帯を使用することができる。
帯状部材３１は、例えばゴムが保護布で覆われたものであり、伸長させると張力が発生する弾性体である。帯状部材３１の主素材は、ゴムだけでなく、ウレタンなど、伸長させると張力が発生する弾性力があるものであればよく、種々のものを使用することができる。
なお、帯状部材３１は、２本だけでなく、１本でも３本以上であってもよい。
【００２３】
締付け部３０は、伸長させると張力が発生するから、ベルト本体１をその長手方向に伸ばすと、ベルト本体１の弛み部分３が伸ばされるので、締付け部３０は伸長する。このため、締付け部３０に張力が発生し、この張力によって荷物ｍを頑強に拘束することができる。
【００２４】
しかも、締付け部３０が帯状部材３１であるから、締付け部３０を簡単にベルト本体１に取り付けることができ、製造しやすい。
この実施形態においても、前記実施形態と同様に荷物ｍの集積体を確実に拘束して、荷物ｍの荷崩れを防止でき、作業者一人でも荷物ｍの拘束作業を効率よく簡単に行うことができ、ベルト本体１を強く引っ張りやすくでき、簡単に製造できるという効果を奏する。
【００２５】
なお、前記拘束用ベルト１０，１０Ｂは、いずれも使い捨てではなく荷物の拘束作業に何度も使用できるので経済的である。しかも、ゴミが出ないのでダイオキシン等の有害ガスが発生しようはずがなく、地球環境にやさしいエコロジー商品である。
【００２６】
【発明の効果】
請求項１の発明によれば、拘束用ベルトで荷物の集積体を拘束すべく、ベルト本体をその長手方向に伸ばすと、ベルト本体の弛み部分が伸ばされるので、締付け部は伸長する。このため、締付け部に張力が発生し、この張力によって荷物の集積体を頑強に拘束することができる。しかも、荷物の集積体にベルト本体を掛け廻わすと、締付け部の内側の弛み部分も荷物に当たり、荷物の全周を接触面積の大きい状態で拘束するので、荷物を痛めないように保護することができる。
請求項２の発明によれば、ベルト本体が広幅ベルトであるから、大きな接触面積で荷物の集積体を拘束でき、例えば上下二段積みの荷物の積層体や背の高い荷物であっても荷崩れを防止することができる。
請求項３の発明によれば、弾性体が、複数の紐が網状に形成された保護網であるから、保護網が伸長するときに発生する張力を複数の紐に分散させることができ、荷物を均一な力で締付けて拘束することができる。このため、締付け部にが荷物の角部に食い込んで荷物が破損するのを防止することができる。
請求項４の発明によれば、弾性体が帯状部材であるから、締付け部を簡単にベルト本体に取り付けることができ、製造しやすい。
請求項５の発明によれば、ベルト本体において固締具の近傍に端部掛着用索が取り付けられているので、端部掛着用索を荷物の集積体の任意の場所に引掛けたり差し込んだりすることにより固締具の位置を仮固定することができる。このため、作業者一人でも荷物の周囲にベルト本体をズレないように確実に位置決めして巻き掛けることができ、作業者一人荷物の拘束作業を効率よく簡単に行うことができる。
請求項６の発明によれば、中間部固定用索を荷物の任意の場所に引掛けたり差し込んだりすることによりベルト本体の中間部分の位置を仮固定することができる。このため、作業者一人でも荷物の周囲にベルト本体をズレないように確実に位置決めして巻き掛けることができ、作業者一人で荷物の拘束作業を効率よく簡単に行うことができる。
請求項７の発明によれば、ベルト本体を固締具で締め付けるときに、引張用索を握ってベルト本体を引っ張りやすい。このため、荷物を強く締め付けることができる。
【図面の簡単な説明】
【図１】本実施形態の拘束用ベルト１０の表面図である。
【図２】本実施形態の拘束用ベルト１０の使用説明図である。
【図３】第２本実施形態の拘束用ベルト１０Ｂ  の表面図である。
【図４】従来の拘束用ベルト１１０  の表面図である。
【図５】従来の拘束用ベルト１１０  の使用状態説明図である。
【符号の説明】
１      ベルト本体
３      弛み部分
１０    拘束用ベルト
１１    端部掛着用索
１２    中間部掛着用索
１３    引張用索
２０    締付け部
２１    保護網
２２    紐
２３    固定用帯
３０    締付け部
３１    帯状部材
【図１】
2004175389.tif 000003
【図２】
2004175389.tif 000004
【図３】
2004175389.tif 000005
【図４】
2004175389.tif 000006
【図５】
2004175389.tif 000007